(57)【要約】  ダクト部４５は、筒状であって、一方の開口部４５１が装置本体の一方の側面に設けられた吸気口と対向して、他方の開口部４５２が装置本体の他方の側面に設けられた排気口と対向する位置に取り付けられる。ダクト部４５の筒状内部には、外気を吸気口から流入して排気口から排出するファン４３と、装置本体の内部で発生した熱が熱伝達部によって伝達される放熱フィン４２を設ける。ファン４３によって外気を放熱フィン４２に当てることで、装置内部で生じる熱を効率よく排出できる。
2016031369.tif 000002
【特許請求の範囲】
【請求項１】
筒状であって、一方の開口部が装置本体の一方の側面に設けられた吸気口と対向する位置に取り付けられて、他方の開口部が前記装置本体の他方の側面に設けられた排気口と対向する位置に取り付けられたダクト部と、
前記ダクト部の筒状内部に設けられて、外気を前記吸気口から流入して前記排気口から排出するファンと、
前記ダクト部の筒状内部に設けられた放熱フィンと、
前記装置本体の内部で発生した熱を前記放熱フィンに伝達する熱伝達部と
を備える撮像装置。
【請求項２】
前記装置本体の側面に凹部を設け、前記凹部の底面に前記排気口または前記排気口と前記吸気口を設けた
請求項１記載の撮像装置。
【請求項３】
平面視における前記装置本体の側面に前記凹部を設けた
請求項２記載の撮像装置。
【請求項４】
前記排気口を設けた前記凹部の側面であって、前記排気口よりも下側の位置に接続端子部を設けた
請求項３記載の撮像装置。
【請求項５】
前記ダクト部と前記装置本体の側面との接続部分は水密性を有する
請求項１記載の撮像装置。
【請求項６】
前記ダクト部における前記ファンの給電部分と前記熱伝達部の取り付け部分は、水密性または水密性と機密性を有する
請求項５記載の撮像装置。
【請求項７】
前記ダクト部は、前記装置本体の上部側に設けた
請求項１記載の撮像装置。
【請求項８】
前記熱伝達部は、撮像素子または前記撮像素子と前記撮像素子を駆動する駆動回路で構成した撮像部を除く他部で発生した熱を前記放熱フィンに伝達する
請求項１記載の撮像装置。
【請求項９】
前記撮像部で発生した熱は前記装置本体の筐体を介して放熱する
請求項８記載の撮像装置。
【発明の詳細な説明】
【技術分野】
【０００１】
この技術は撮像装置の放熱機能に関する。
【背景技術】
【０００２】
従来の撮像装置、例えば映像制作等で用いられる業務用ビデオカメラは、消費電力も大きく発熱量も大きい。このため、特許文献１では、装置本体の内部で熱せられた空気を、装置本体の天面に設けられた通気孔を介して空間部に放出した後に空間部から放熱孔を介して外部に放出することで、自然冷却が行われている。また、放熱孔と通気孔との位置をずらして設けることで、放熱孔から浸入された水滴が通気孔に浸入してしまうことが防止されている。
【先行技術文献】
【特許文献】
【０００３】
【特許文献１】特開２０１１−１０９３９３号公報
【発明の概要】
【発明が解決しようとする課題】
【０００４】
ところで、撮像装置では高画素化等に伴い消費電力が増大している。このため、自然冷却では装置本体内部のデバイスを十分に冷却することが困難となる。【０００５】
そこで、この技術では、装置内部で生じる熱を効率よく排出できる撮像装置を提供することを目的とする。
【課題を解決するための手段】
【０００６】
この技術の第１の側面は、
筒状であって、一方の開口部が装置本体の一方の側面に設けられた吸気口と対向する位置に取り付けられて、他方の開口部が前記装置本体の他方の側面に設けられた排気口と対向する位置に取り付けられたダクト部と、
前記ダクト部の筒状内部に設けられて、外気を前記吸気口から流入して前記排気口から排出するファンと、
前記ダクト部の筒状内部に設けられた放熱フィンと、
前記装置本体の内部で発生した熱を前記放熱フィンに伝達する熱伝達部と
を備える撮像装置にある。【０００７】
この技術において、撮像装置は、ダクト部とファンと熱伝達部を備えている。ダクト部は、筒状であって例えば装置本体の上部側に設けられる。ダクト部の一方の開口部は、装置本体の一方の側面に設けられた吸気口と対向する位置で、他方の開口部は装置本体の他方の側面に設けられた排気口と対向する位置とされている。平面視における装置本体の側面に凹部が設けられており、凹部の底面に排気口または排気口と吸気口が設けられている。ダクト部の筒状内部には、外気を吸気口から流入して排気口から排出するファンと放熱フィンが設けられている。放熱フィンには、装置本体の内部で発生した熱、例えば撮像素子または撮像素子と撮像素子を駆動する駆動回路で構成した撮像部を除く他部で発生した熱が熱伝達部によって伝達される。また、撮像部で発生した熱は装置本体の筐体を介して放熱される。【０００８】
ダクト部と装置本体の側面との接続部分、およびダクト部におけるファンの給電部分と熱伝達部の取り付け部分は、水密性を有するように構成されている。また、排気口を設けた側面に信号ケーブル等を接続する接続端子部を設ける場合、凹部の側面であって排気口よりも下側の位置に接続端子部が設けられる。
【発明の効果】
【０００９】
この技術によれば、筒状であって、一方の開口部が装置本体の一方の側面に設けられた吸気口と対向する位置に取り付けられて、他方の開口部が前記装置本体の他方の側面に設けられた排気口と対向する位置に取り付けられたダクト部と、前記ダクト部の筒状内部に設けられて、外気を前記吸気口から流入して前記排気口から排出するファンと、前記ダクト部の筒状内部に設けられた放熱フィンと、前記装置本体の内部で発生した熱を前記放熱フィンに伝達する熱伝達部が設けられる。このため、装置内部で生じる熱を効率よく外部に排出できる。なお、本明細書に記載された効果はあくまで例示であって限定されるものではなく、また付加的な効果があってもよい。
【図面の簡単な説明】
【００１０】
【図１】撮像装置を右前方から見た斜視図である。
【図２】撮像装置を左前方から見た斜視図である。
【図３】撮像装置を右後方から見た斜視図である。
【図４】撮像装置を左後方から見た斜視図である。
【図５】撮像装置の右側面図である。
【図６】撮像装置の左側面図である。
【図７】撮像装置の正面図である。
【図８】撮像装置の背面図である。
【図９】撮像装置の平面図である。
【図１０】撮像装置の底面図である。
【図１１】撮像装置の機能ブロック図である。
【図１２】放熱機構の概略図である。
【図１３】放熱機構と装置本体の側板との関係を示す図である。
【発明を実施するための形態】
【００１１】
以下、本技術を実施するための形態について説明する。なお、説明は以下の順序で行う。
１．撮像装置の全体構成
１−１．撮像装置の外観構成
１−２．撮像装置の機能構成
２．放熱機構の構成
【００１２】
＜１．撮像装置の全体構成＞
［１−１．撮像装置の外観構成］
図１乃至図１０は、本技術の撮像装置の外観を例示している。なお、図１は、撮像装置を右前方から見た斜視図である。図２は、撮像装置を左前方から見た斜視図である。図３は、撮像装置を右後方から見た斜視図である。図４は、撮像装置を左後方から見た斜視図である。図５は、撮像装置の右側面図である。図６は、撮像装置の左側面図である。図７は、撮像装置の正面図である。図８は、撮像装置の背面図である。図９は、撮像装置の平面図である。図１０は、撮像装置の底面図である。
【００１３】
図１乃至図１０に示す撮像装置１０では、レンズユニット２０、装置本体３０、可動グリップ部６０、ビューファインダ部７０、マイクロフォン８０、アダプタ９０，９５を有している。なお、レンズユニット２０、可動グリップ部６０、ビューファインダ部７０、マイクロフォン８０、アダプタ９０，９５は、装置本体３０に着脱可能に構成されて、装置本体３０とは別個に提供されてもよい。
【００１４】
レンズユニット２０は、装置本体３０の前面に取り付けられている。レンズユニット２０は、被写体からの光を集光する撮像レンズや撮像レンズの光学倍率を所定の範囲で可変するズーム機構等を有している。
【００１５】
装置本体３０は、側面を外側方向に突出させてレンズユニット２０の光軸方向に筒状の形状とされている。例えば、側面を外側方向に突出させて、光軸方向に対して直交する断面形状が略八角形である筒状の形状とされている。また、装置本体３０の後端の下部には、側面視において、面取り傾斜部が形成されている。例えば撮像装置１０では、図５および図６に示すように、円弧状の曲線縁部を有する面取り傾斜部３２１が形成されている。
【００１６】
装置本体３０の後面には、図示せずもバッテリー装着部やアダプタ装着部等が設けられている。バッテリー装着部には、撮像装置１０を動作させるために必要な電力を供給するバッテリーが装着される。アダプタ装着部はアダプタ９０が装着可能とされている。
【００１７】
装置本体３０の上面にはハンドル部３４１が形成されている。ハンドル部３４１は、ユーザが撮像装置１０を持ち歩く際や撮像装置１０を低い位置で用いる際に、撮像装置１０を保持するためにユーザが手で握ることができるように設けられている。ハンドル部３４１における前端側の一方の側面（撮像装置１０を肩に乗せて撮像するショルダースタイルの場合にユーザ側とは逆側となる面）にはマイク取付部３４２が設けられている。また、他方の側面（撮像装置１０の使用態様がショルダースタイルである場合にユーザ側となる面）には、ビューファインダ部７０を保持するための支軸３４３が側面から突出して設けられている。マイク取付部３４２の前方面には、マイクロフォン８０が取り付けられる。
【００１８】
装置本体３０の一方の側面、例えば撮像装置１０の使用態様がショルダースタイルである場合にユーザの顔と対向することを想定した側面には、図４，図６に示すように操作部３５１や記録媒体装着部３５２、吸気口３５３等が設けられている。操作部３５１は側面中央部分に設けられており、記録媒体装着部３５２は側面後方に設けられている。また、吸気口３５３は、側面中央部分であって装置本体３０の上部側に設けられている。
【００１９】
操作部３５１は、撮像装置１０の各種設定等を行うための操作スイッチ等で構成されている。記録媒体装着部３５２は、映像信号や音声信号等の情報信号を記録する記録媒体例えばフラッシュメモリ等の半導体メモリを用いて構成されたメモリカードを装置本体３０に装着する際に用いられる。吸気口３５３は、装置本体３０の放熱機構の一部であり、吸気口３５３から外気が吸引される。吸気口３５３は、例えば矩形状の領域内にスリット状の開口部を複数設けた形状とされている。
【００２０】
装置本体３０の他方の側面には、図３，図５に示すように接続端子部３６１や排気口３６３等が設けられている。他方の側面には凹部が設けられている。例えば、他方の側面に、平面視が略コの字形状である凹部が側面中央部分に形成されている。接続端子部３６１は、凹部の側面であって排気口３６３よりも下側の位置に設けられている。排気口３６３は、凹部の底面であって装置本体３０の上部側に設けられている。  
装置本体３０の他方の側面には、図３，図５に示すように接続端子部３６１や排気口３６３等が設けられている。平面視における他方の側面には凹部が設けられている。例えば、平面視が略コの字形状である凹部が形成されている。接続端子部３６１は、凹部の側面であって排気口３６３よりも下側の位置に設けられている。排気口３６３は、凹部の底面であって装置本体３０の上部側に設けられている。
【００２１】
接続端子部３６１には、例えばビューファインダ部７０やマイクロフォン８０を装置本体３０に接続するための信号ケーブル等が接続される。接続端子部３６１は、排気口３６３よりも下側の位置に設けることで、信号ケーブル等が排気口３６３を塞いでしまうことを防止する。排気口３６３は、装置本体３０の放熱機構の一部であり、吸気口３５３から吸引された外気を排気口３６３から排出する。排気口３６３は、例えば矩形状の領域内にスリット状の開口部を複数設けた形状とされている。
【００２２】
さらに、装置本体３０の他方の側面には、例えば図５に示すように、撮像時に装置本体３０の支持等を行うための可動グリップ部６０が取り付けられている。可動グリップ部６０は、ユーザが把持するグリップ本体部６１と、一方の端部側に設けた第１取付部６２Ｇにグリップ本体部６１が取り付けられて他方の端部側に設けた第２取付部６２Ｂが装置本体３０に取り付けられるアーム部６２で構成されている。グリップ本体部６１は、アーム部６２の第１取付部６２Ｇを中心として装置本体３０に対する向きが移動可能に取り付けられる。アーム部６２は、第２取付部６２Ｂを中心として装置本体３０に対するグリップ本体部６１の位置が移動可能に、固定レバー３６５を用いて装置本体３０に取り付けられている。例えば、固定レバー３６５が緩められた場合、アーム部６２は固定レバー３６５の位置を中心として矢印ＦＣで示すように回転可能とされている。さらに、固定レバー３６５が締め付けられた場合、装置本体３０に対してアーム部６２の位置が固定される。したがって、固定レバー３６５を操作して、装置本体３０に対するグリップ本体部６１の位置を調整できる。また、可動グリップ部６０のグリップ本体部６１には、ロック解除ボタン（図示せず）が設けられている。ここで、ロック解除ボタンが操作されてロック解除位置とされた場合、グリップ本体部６１は、アーム部６２に対して固定状態から矢印ＦＡで示す方向に回転可能となる。さらに、ロック解除ボタンがロック位置とされた場合、グリップ本体部６１は現在の位置でアーム部６２に固定される。したがって、ロック解除ボタンを操作して、装置本体３０に対するグリップ本体部６１の向きを調整できる。さらに、アーム部６２は、矢印ＦＢで示すように伸縮自在に構成されており、装置本体３０からグリップ本体部６１までの距離が調整可能とされている。
【００２３】
装置本体３０の底面には、ショルダーパッド３７１や三脚取付部（図示せず）等が設けられている。ショルダーパッド３７１は、撮像装置１０の使用態様がショルダースタイルである場合に、肩と当接する部分の位置に設けられている。また、ショルダーパッド３７１は、ユーザの肩に乗せやすくかつクッションとなるように、柔らかな材料を用いて曲面を持たせた形状に形成されている。三脚取付部には、装置本体３０を三脚等に固定するためのねじ孔が設けられている。
【００２４】
ビューファインダ部７０は、ビューファインダ保持部７５を介してハンドル部３４１の支軸３４３に取り付けられている。ビューファインダ部７０は、カメラスルー画像や記録媒体に記録されている画像、メニュー画像、種々の情報等を表示する。マイクロフォン８０は、外部の音を集音して音声信号を生成する。アダプタ９０，９５は、撮像装置１０の機能等を拡張するためのアダプタである。例えばアダプタ９５は増設バッテリーであり、アダプタ９０は増設バッテリーを装置本体３０に接続する。なお、アダプタ９０，９５は、撮像装置１０の機能等を拡張する際に用いられるものであることから、アダプタ９０，９５が取り付けられていなくとも、撮像を行うことができる。
【００２５】
［１−２．撮像装置の機能構成］
図１１は撮像装置の機能ブロック図である。装置本体３０は、撮像部３０１、映像信号処理部３０２、音声信号処理部３０３、記録再生部３０４、レンズ駆動部３０５、操作部３５１、制御部３１０、電源部３１５、ファン４３等を備えている。
【００２６】
撮像部３０１は、例えばＣＭＯＳ（complementary metal-oxide semiconductor device）やＣＣＤ（Charge−Coupled Device）等の撮像素子を用いて構成されている。撮像部３０１は、レンズユニット２０によって撮像面に結像された光学像の光電変換を行い、撮像信号を生成して映像信号処理部３０２に出力する。また、撮像部３０１には、撮像素子を駆動する駆動回路が設けられている。なお、駆動回路は撮像部３０１と別個に設けられていてもよい。
【００２７】
映像信号処理部３０２は、撮像信号に対してノイズ除去処理、ゲイン調整処理、輝度や色の調整処理を行う。また、映像信号処理部３０２は、調整処理後の映像信号や記録再生部３０４で読み出された映像信号をビューファインダ部７０の画素数に対応した映像信号に変換する処理やメニュー表示等の表示信号を映像信号に重畳する処理を行う。また、映像信号処理部３０２は、容易に所望の撮像画像を得られるようにビューファインダ画像に対する映像処理例えば中央部分を拡大して表示する処理等を行うようにしてもよい。映像信号処理部３０２は、処理後の映像信号をビューファインダ部７０に出力する。
【００２８】
音声信号処理部３０３は、マイクロフォン８０で生成された音声信号を増幅する処理等を行い記録再生部３０４に出力する。
【００２９】
記録再生部３０４は、制御部３１０からの指示に基づき、映像信号や音声信号等の情報信号を記録媒体８６に記録する処理、記録媒体８６に記録されている情報信号を読み出して再生する処理を行う。また、記録再生部３０４は、記録媒体８６から読み出した映像信号を、映像信号処理部３０２を介してビューファインダ部７０に供給する処理等を行う。さらに、記録再生部３０４は、外部機器に対して所定のフォーマットで情報信号を出力する処理等を行う。なお、記録媒体８６は、着脱可能な記録媒体例えば図４，図６に示す記録媒体装着部３５２から挿入された記録媒体であってもよく、装置本体３０の内部に固定して設けられた記録媒体であってもよい。
【００３０】
レンズ駆動部３０５は、制御部３１０からの指示に基づき、レンズユニット２０を駆動して所望のズーム倍率に設定する。また、レンズ駆動部３０５は、撮像部３０１における固体撮像素子の撮像面に結合される光学像が鮮明な像となるようにフォーカス調整を行うようにしてもよい。
【００３１】
操作部３５１は、図４，図６に示すように装置本体３０の一方の側面に設けられており、操作スイッチで構成されている。操作部３５１は、ユーザのスイッチ操作に応じた操作信号を生成して制御部３１０に出力する。
【００３２】
操作部６１１は、可動グリップ部６０のグリップ本体部に設けられた操作スイッチで構成されている。操作部６１１は、ユーザのスイッチ操作に応じた操作信号を生成して制御部３１０に出力する。また、操作部６１１には、機能が固定されているスイッチと、機能が変更可能なスイッチの少なくとも何れかが設けられている。例えば、操作部６１１には、機能が固定されているスイッチとして、レンズユニットの焦点距離を調整するズームスイッチ、記録の開始または終了を指示するＲＥＣスイッチの少なくとも何れかが設けられている。また、操作部６１１には、機能が変更可能なスイッチであるアサイナブルボタン、アサイナブルボタンに対して機能の割り当てや割り当てられた機能を変更するための設定ボタン等が設けられている。なお、操作部６１１には電源スイッチ等が設けられていてもよい。
【００３３】
制御部３１０は、図示せずも例えばＣＰＵ（Central Processing Unit）、ＥＥＰＲＯＭ（Electrically Erasable Programmable ROM）、ＲＯＭ（Read Only Memory）、ＲＡＭ（Random Access Memory）などから構成されている。制御部３１０におけるＲＯＭには、制御部３１０で各種の制御処理を実行するためのプログラムが格納されている。ＣＰＵは、該プログラムに基づいて動作して、ＲＡＭを用いながら、各制御のための必要な演算・制御処理を実行する。当該プログラムは、装置本体３０に内蔵されたＲＯＭに予め格納しておく場合に限らず、リムーバブル記録媒体に格納されて装置本体３０に提供されてもよくＬＡＮやインターネット等のネットワークを介して装置本体３０にダウンロードされてもよい。
【００３４】
制御部３１０は、操作部３５１，６１１に対するユーザ操作等に基づき、撮像装置１０でユーザ操作に応じた動作が行われるように各部を制御する。制御部３１０は、例えば電源スイッチに対するユーザ操作に基づいて撮像装置１０の電源のオン、オフを行う。また、制御部３１０は、ズームスイッチに対するユーザ操作に基づきレンズ駆動部３０５を制御して、レンズユニット２０の焦点距離をユーザ操作に応じて変化させる。また、制御部３１０は、ＲＥＣボタンに対するユーザ操作に基づいて情報信号の記録を開始または停止させる。
【００３５】
また、制御部３１０は、アサイナブルボタンに対するユーザ操作に基づいて、操作されたアサイナブルボタンに割り当てられている機能を実行する制御を行う。さらに、制御部３１０は、設定ボタンに対するユーザ操作に基づいて、アサイナブルボタンに機能を割り当てる。なお、アサイナブルボタンには、例えば種々のマーカーの表示機能、レックレビュー機能、ビューファインダのモード切替機能、フォーカス調整を容易とするためのビューファインダ画像切替機能、輝度に関する情報の表示機能等が割り当て可能とされている。
【００３６】
さらに、制御部３１０は、ファン４３を制御して、装置本体３０の内部で発生した熱を外に排出する制御を行う。例えば制御部３１０は、映像信号処理部３０２や記録再生部３０４等で発生した熱を外に排出することで、装置本体３０の内部で使用されている部品等の温度が高くなってしまうことを防止する。
【００３７】
電源部３１５は、装置本体３０に装着されたバッテリー８５から撮像装置１０の各部に電力供給を行う。また、電源部３１５は、例えば増設バッテリーが装置本体３０に取り付けられた場合、この増設バッテリーから電力供給を行う。
【００３８】
ファン４３は、装置本体３０で発生した熱を外部に放出するため、装置本体３０の一方の側面に設けられた吸気口から外気を取り込み、熱せられた空気を装置本体３０の他方の側面に設けられた排気口から排出する。
【００３９】
＜２．放熱機構の構成＞
図１２は、放熱機構の概略図である。なお、図１２の（Ａ）は装置本体の内部に設けた放熱機構の右側面概略図であり、図１２の（Ｂ）は装置本体の内部に設けた放熱機構の平面概略図である。また、図１３は、放熱機構と装置本体の側板との関係を示す図であり、図１２の（Ｂ）におけるＡ−Ａ’位置の断面概略図である。
【００４０】
装置本体の筐体３９には、熱伝達部を構成するヒートシンク４０が取り付けられている。熱伝達部は、例えばヒートシンク４０とヒートパイプ４１で構成されている。ヒートシンク４０には発熱を生じる部品等が密着されており、装置本体の内部の部品等で発生した熱はヒートシンク４０に伝導する。ヒートシンク４０にはヒートパイプ４１の一方の端部側が接続されており、ヒートパイプ４１の他方の端部側には放熱フィン４２が取り付けられている。ヒートパイプ４１は、部品からヒートシンク４０に伝導された熱を放熱フィン４２に伝達する。
【００４１】
放熱フィン４２は、例えば複数のフィンが所定の間隔で互いに対向する構成とされている。放熱フィン４２は、ダクト部４５の内部に設けられており、ダクト部４５の内部を通る外気を利用して、熱伝達部で伝達された熱を撮像装置の外に排出する。
【００４２】
ダクト部４５は筒状の形状とされており、装置本体の上部に設けられている。また、ダクト部４５の一方の開口部４５１は、装置本体の一方の側面を形成する側板３５０に設けられた吸気口３５３と対向する位置とされている。さらに、ダクト部４５の他方の開口部４５２は、装置本体の他方の側面を形成する側板３６０に設けられた排気口３６３と対向する位置とされている。側板３５０と側板３６０は、シール部材を介してダクト部４５と接続されて、ダクト部４５との接続部分が水密性を有する状態とされて筐体３９に取り付けられる。したがって、吸気口３５３（または排気口３６３）から入った水滴や粉塵等は、ダクト部４５と側板３５０，３６０との接続部分から装置本体の内部に浸入することなく排気口３６３（または吸気口３５３）から排出される。
【００４３】
ダクト部４５の内部には、吸気口３５３から外気を吸い込んで排気口３６３から排出するためのファン４３が固定して設けられている。また、ダクト部４５の内部には、放熱フィン４２がファン４３と排気口３６３との間に固定されている。放熱フィン４２は、吸気口３５３から吸い込んだ外気がフィン間を容易に流れるように、フィンの積層方向が外気の流れる方向に対して直交する方向となるように設けられている。ダクト部４５におけるヒートパイプ４１の取り付け部とファン４３の給電部（例えば駆動信号等を供給するケーブルの取り付け部）等は、水密性を有するように構成されている。例えばシール部材４６を用いてダクト部４５にヒートパイプ４１やファン４３の給電部が固定されている。したがって、吸気口３５３や排気口３６３から入った水滴や粉塵等は、ダクト部４５とヒートパイプ４１やファン４３の給電部等との接続部分から装置本体の内部への浸入が防止される。
【００４４】
また、装置本体の筐体３９の前面部には、撮像部３０１が密着して取り付けられる。したがって、固体撮像素子または固体撮像素子や固体撮像素子の駆動回路で発生した熱は筐体３９に伝導する。このため、撮像部３０１で発生した熱は筐体３９を介して外部に放熱される。
【００４５】
このように、この技術では、装置本体の内部で発生した熱が熱伝達部であるヒートシンク４０とヒートパイプ４１を介してダクト部４５の内部に設けた放熱フィン４２に伝達される。また、ダクト部４５では、内部に設けたファン４３によって、吸気口３５３から外気を吸い込んで排気口３６３から排出される。したがって、装置本体の内部で発生して放熱フィン４２に伝達された熱は、ダクト部４５の内部を通る外気によって撮像装置の外に排出される。これにより、装置本体内に排出される熱が削減され、装置本体の内部や内部で使用される部品の温度が高くなってしまうことを容易に防止できる。
【００４６】
また、撮像部３０１で発生する熱は、筐体３９を介して外部に放熱されるので、撮像部３０１が所定温度よりも高くなってしまうことを防止できる。また、撮像部３０１で発生する熱を、筐体３９を介して外部に放熱することで、撮像部３０１で発生する熱も放熱フィン４２に伝達して撮像装置の外に排出する場合に比べて、放熱フィン４２やダクト部４５のサイズ等を小さくすることが可能となる。すなわち、装置本体において放熱機構によって占有される領域を少なくできる。
【００４７】
また、ダクト部４５は装置本体の上部に設けていることから、ダクト部４５が中央部や下部に設けられている場合に比べて、放熱フィン４２で熱せられて排出される外気の影響を少なくできる。さらに、使用態様がショルダースタイルである場合にユーザ側の側面には吸気口３５３が設けられて、ユーザ側とは逆側の側面に排気口３６３が設けられる。したがって、ユーザ側に熱せられた外気が排気されることがない。
【００４８】
さらに、排気口３６３は、図３，図５に示すように、装置本体３０の他方の側面における平面視が略コの字形状である凹部の底面に設けられていることから、排気口３６３を塞がり難くできる。また、装置本体３０の他方の側面に信号ケーブル等が接続される接続端子部３６１を設ける場合、接続端子部３６１は、排気口３６３を設けた凹部の側面であって排気口３６３よりも下側の位置に設けられている。したがって、接続端子部３６１に信号ケーブル等が接続されていると、排気口３６３に他の物体が近接しても接続された信号ケーブル等によって空間が確保されるので、さらに、排気口３６３を塞がり難くできる。なお、排気口３６３が設けられた凹部は、平面視が略コの字形状に限らず、排気口３６３が塞がり難くなれば他の形状であってもよい。
【００４９】
また、ダクト部４５に対して側板３５０，３６０やヒートパイプ４１、ファン４３の給電部等は、水密性を有するように取り付けられる。したがって、吸気口３５３または排気口３６３から水滴や粉塵等が入っても、この水滴や粉塵等によって装置本体内部の駆動機構や電気回路等の動作に悪影響が生じてしまうことを防止できる。すなわち、撮像装置の使用環境の制限が少なくなり、多様な環境での撮像に本技術の撮像装置を利用できるようになる。さらに、吸気口３５３と排気口３６３が装置本体３０の側面に設けられていることから、例えば装置本体の上部に排気口等が設けられている場合に比べて、水滴や粉塵等を入り難くできる。
【００５０】
なお、本明細書に記載した効果はあくまで例示であって限定されるものではなく、記載されていない付加的な効果があってもよい。また、本技術は、上述した技術の実施の形態に限定して解釈されるべきではない。この技術の実施の形態は、例示という形態で本技術を開示しており、本技術の要旨を逸脱しない範囲で当業者が実施の形態の修正や代用をなし得ることは自明である。すなわち、本技術の要旨を判断するためには、請求の範囲を参酌すべきである。
【００５１】
また、本技術の撮像装置は以下のような構成も取ることができる。
（１）筒状であって、一方の開口部が装置本体の一方の側面に設けられた吸気口と対向する位置に取り付けられて、他方の開口部が前記装置本体の他方の側面に設けられた排気口と対向する位置に取り付けられたダクト部と、
前記ダクト部の筒状内部に設けられて、外気を前記吸気口から流入して前記排気口から排出するファンと、
前記ダクト部の筒状内部に設けられた放熱フィンと、
前記装置本体の内部で発生した熱を前記放熱フィンに伝達する熱伝達部と
を備える撮像装置。
（２）  前記装置本体の側面に凹部を設け、前記凹部の底面に前記排気口または前記排気口と前記吸気口を設けた（１）に記載の撮像装置。
（３）  平面視における前記装置本体の側面に前記凹部を設けた（２）に記載の撮像装置。
（４）  前記排気口を設けた前記凹部の側面であって、前記排気口よりも下側の位置に接続端子部を設けた（３）に記載の撮像装置。
（５）  前記ダクト部と前記装置本体の側面との接続部分は水密性を有する（１）乃至（４）の何れかに記載の撮像装置。
（６）  前記ダクト部における前記ファンの給電部分と前記熱伝達部の取り付け部分は、水密性または水密性と機密性を有する（５）に記載の撮像装置。
（７）  前記ダクト部は、前記装置本体の上部側に設けた（１）乃至（６）の何れかにに記載の撮像装置。
（８）  前記熱伝達部は、撮像素子または前記撮像素子と前記撮像素子を駆動する駆動回路で構成した撮像部を除く他部で発生した熱を前記放熱フィンに伝達する（１）乃至（７）の何れかに記載の撮像装置。
（９）  前記撮像部で発生した熱は前記装置本体の筐体を介して放熱する（８）に記載の撮像装置。
【産業上の利用可能性】
【００５２】
この技術の撮像装置では、筒状であって、一方の開口部が装置本体の一方の側面に設けられた吸気口と対向する位置に取り付けられて、他方の開口部が前記装置本体の他方の側面に設けられた排気口と対向する位置に取り付けられたダクト部と、前記ダクト部の筒状内部に設けられて、外気を前記吸気口から流入して前記排気口から排出するファンと、前記ダクト部の筒状内部に設けられた放熱フィンと、前記装置本体の内部で発生した熱を前記放熱フィンに伝達する熱伝達部が設けられる。したがって、装置内部で生じる熱を効率よく外部に排出できるようになり、装置内部で発生する熱が多い例えば業務用のビデオカメラ等に適している。
【符号の説明】
【００５３】
１０・・・撮像装置
２０・・・レンズユニット
３０・・・装置本体
３９・・・筐体
４０・・・ヒートシンク
４１・・・ヒートパイプ
４２・・・放熱フィン
４３・・・ファン
４５・・・ダクト部
４６・・・シール部材
６０・・・可動グリップ部
７０・・・ビューファインダ部
８０・・・マイクロフォン
３０１・・・撮像部
３０２・・・映像信号処理部
３０３・・・音声信号処理部
３０４・・・記録再生部
３１０・・・制御部
３５０，３６０・・・側板
３５３・・・吸気口
３６１・・・接続端子部
３６３・・・排気口
４５１，４５２・・・開口部
【図１】
2016031369.tif 000003
【図２】
2016031369.tif 000004
【図３】
2016031369.tif 000005
【図４】
2016031369.tif 000006
【図５】
2016031369.tif 000007
【図６】
2016031369.tif 000008
【図７】
2016031369.tif 000009
【図８】
2016031369.tif 000010
【図９】
2016031369.tif 000011
【図１０】
2016031369.tif 000012
【図１１】
2016031369.tif 000013
【図１２】
2016031369.tif 000014
【図１３】
2016031369.tif 000015
【国際調査報告】
2016031369.tif 000016
2016031369.tif 000017
2016031369.tif 000018
2016031369.tif 000019